(57)【要約】【課題】ユーザの体感温度に合わせて適切な広告を出力する。【解決手段】空気調和機１０は、本体１１と、本体１１の運転情報を設定する操作を行う操作手段１２と、を備え、操作手段１２によって設定された本体１１の運転状態を示す運転情報と、操作手段１２によって行われた設定変更の内容を示す設定変更情報とに基づいて、本体又は操作手段に外部ネットワークを介して接続される外部サーバ４０に記憶された商品又は役務の広告情報の中から選択された広告が、操作手段１２又は本体１１若しくは操作手段１２又は本体１１に接続された外部機器２０に出力される。広告の内容は、外部サーバ又は本体において決定される。【選択図】図１
2018073153.tif 000002
【特許請求の範囲】
【請求項１】
本体と、前記本体を操作する操作手段と、を備えた空気調和機であって、
前記操作手段が操作され前記本体の設定が変更されたときの設定変更の内容を示す設定変更情報生成部と、
前記操作手段が操作された時点の前記本体の運転状態を示す運転情報を生成する運転情報生成部と、
外部ネットワークを介して外部サーバと通信を行い広告情報を受信する通信部と、
前記通信部が受信した前記広告情報を、少なくとも前記操作手段と前記本体と前記操作手段又は前記本体に接続された外部機器のうちいずれか一つに出力する広告出力部と、を備え、
前記通信部は、
前記運転情報及び前記設定変更情報を前記外部サーバへ送信し、
前記外部サーバが前記通信部から受信した前記運転情報及び前記設定変更情報に基づいて選択した商品又は役務に関する広告情報を受信する空気調和機。
【請求項２】
前記操作手段がユーザの個人識別情報及び操作手段識別情報を有し、
前記通信部は、
前記個人識別情報及び前記操作手段識別情報を前記外部サーバへ送信し、
前記外部サーバが前記通信部から受信した前記個人識別情報及び前記操作手段識別情報に基づいて選択した商品又は役務に関する広告情報を受信する請求項１に記載の空気調和機。
【請求項３】
本体と、前記本体を操作する操作手段と、を備えた空気調和機であって、
前記操作手段が操作され前記本体の設定が変更されたときの設定変更の内容を示す設定変更情報生成部と、
前記操作手段が操作された時点の前記本体の運転状態を示す運転情報を生成する運転情報生成部と、
外部ネットワークを介して外部サーバと通信を行う通信部と、
前記通信部が受信した前記外部サーバから商品又は役務に関する複数の広告情報を記憶する記憶部と、
前記記憶部に記憶された前記複数の広告情報から前記運転情報及び前記設定変更情報に応じた前記広告情報を呼び出す広告選択処理部と、
前記広告選択処理部が呼び出した前記広告情報を出力する、少なくとも前記操作手段と前記本体と前記操作手段又は前記本体に接続された外部機器のうちいずれか一つが有する広告出力部を備える空気調和機。
【請求項４】
前記操作手段がユーザの個人識別情報及び操作手段識別情報を有し、
前記広告選択処理部は、前記個人識別情報及び前記操作手段識別情報に応じて前記広告情報を選択することを特徴とする請求項３に記載の空気調和機。
【請求項５】
前記操作手段が操作されたときの前記設定変更の内容に基づく制御が完了したことを示す設定変更完了情報を生成する設定完了情報生成部と、
生成された前記設定変更完了情報を、少なくとも前記操作手段と前記本体と前記操作手段又は前記本体に接続された外部機器のうちいずれか一つに出力する出力部と、を備え、
前記出力部が前記設定変更完了情報を出力するのと同時又はそれより後に前記広告出力部が前記広告情報を出力することを特徴とする請求項１から４のいずれか１項に記載の空気調和機。
【請求項６】
前記広告情報は、前記操作手段が操作される前と後の設定値の変位量に応じて選択されることを特徴とする請求項１から５のいずれか１項に記載の空気調和機。
【請求項７】
空気調和機の操作を行う操作手段であって、
前記操作手段が操作され前記本体の設定が変更されたときの設定変更の内容を示す設定変更情報生成部と、
前記操作手段が操作された時点の本体の運転状態を示す運転情報を生成する運転情報生成部と、
外部ネットワークを介して外部サーバと通信を行い広告情報を受信する通信部と、
前記通信部が受信した前記広告情報を出力する広告出力部と、を備え、
前記通信部は、
前記運転情報及び前記設定変更情報を前記外部サーバへ送信するとともに、
前記運転情報及び前記設定変更情報に基づいて前記外部サーバによって選択された商品又は役務に関する広告情報を受信することを特徴とする操作手段。
【請求項８】
空気調和機を用いた広告提供システムであって、
商品又は役務についての広告情報が記憶された広告情報記憶部と、
前記空気調和機に設定変更の操作がされたときの設定変更の内容を示す設定変更情報生成部と、
前記空気調和機に設定変更の操作がされた時点の前記空気調和機の運転状態を示す運転情報を生成する運転情報生成部と、
前記運転情報生成部で生成された前記運転情報と、前記設定変更情報生成部で生成された前記設定変更情報とに基づいて前記広告情報記憶部に記憶された前記広告情報の中から広告を選択する広告選択処理部と、
前記広告選択処理部で選択された前記広告を出力する広告出力部と、を有することを特徴とする広告提供システム。
【発明の詳細な説明】
【技術分野】
【０００１】
本発明は、空気調和機、操作手段、及び空気調和機を用いた広告提供システムに関する。
【背景技術】
【０００２】
例えば、特許文献１に、エアコンが冷房モードで使用されているという運転情報（冷房運転、暖房運転等）をネットワーク上の広告管理サーバが受信すると、広告管理サーバが、ユーザの体感温度が上昇したと判断し、アイスクリームやビアガーデン等の広告を、エアコンを使用中のユーザに通知する広告提供システムが提案されている。
【先行技術文献】
【特許文献】
【０００３】
【特許文献１】特開２００２−０９９８１７号公報
【発明の概要】
【発明が解決しようとする課題】
【０００４】
特許文献１に記載された技術によれば、エアコンの運転情報のみによってユーザの体感温度を推定して広告を選択している。しかしながら、冷房運転中であっても肌寒く感じるユーザがいるため、エアコンの運転情報のみによってユーザの体感温度を推定し、広告を選択して出力する方法は適切ではない。
【０００５】
本発明は上記した課題を解決するためになされたものであり、ユーザの体感温度に合わせて適切な広告を出力することができる、空気調和機、操作手段、及び空気調和機を用いた広告提供システムを提供することを目的とする。
【課題を解決するための手段】
【０００６】
上記した課題を解決するために本発明の空気調和機は、本体と、前記本体を操作する操作手段と、前記操作手段が操作され前記本体の設定が変更されたときの設定変更の内容を示す設定変更情報を生成する設定変更情報生成部と、前記操作手段が操作された時点の本体の運転状態を示す運転情報を生成する運転情報生成部と、外部ネットワークを介して外部サーバと通信を行い広告情報を受信する通信部と、通信部が受信した前記広告情報を、少なくとも前記操作手段と前記本体と前記操作手段または前記本体に接続された外部機器のうちいずれか一つに出力する広告出力部と、を備え、前記通信部は、前記運転情報及び前記設定変更情報を前記外部サーバへ送信するとともに、前記外部サーバが前記通信部から受信した前記個人識別情報及び前記操作手段識別情報に基づいて選択した商品又は役務に関する広告情報を受信することを特徴とする。
【発明の効果】
【０００７】
本発明によれば、ユーザの体感温度に合わせて適切な広告を出力することができる、空気調和機、操作手段、及び空気調和機を用いた広告提供システムを提供することができる。
【図面の簡単な説明】
【０００８】
【図１】本発明の実施の形態に係る広告提供システムの構成図である。
【図２】実施例１の広告提供システムの各部の構成を示すブロック図である。
【図３】実施例１の動作シーケンス図である。
【図４】実施例２の各部の構成を示すブロック図である。
【図５】本発明の実施の形態に係る広告提供システムをＨＥＭＳに適用した場合のシステム構成図である。
【発明を実施するための形態】
【０００９】
（実施形態の構成）
以下、本発明の実施の形態（以下、本実施形態という）に係る広告提供システムについて図面を参照しながら詳細に説明する。なお、実施形態の説明の全体を通して同じ要素には同じ番号又は符号を付している。
【００１０】
図１に示すように、本実施形態に係る広告提供システム１は、エアコン等の空気調和機１０と、空気調和機１０とは有線あるいは無線で接続される外部機器２０と、空気調和機１０とは外部ネットワーク３０経由で接続される外部サーバ４０とを含む。ここでは、
空気調和機本体１１（以下、単に、本体１１という）と操作手段１２との間はＩｒＤＡ（赤外線通信）等で接続され、また、本体１１と外部サーバ４０及びユーザが所持する、スマートフォン、テレビ、ＰＣ（Ｐｅｒｓｏｎａｌ  Ｃｏｍｐｕｔｅｒ）等の外部機器２０とは、ＩＰ（Ｉｎｔｅｒｎｅｔ  Ｐｒｏｔｏｃｏｌ）網等の外部ネットワーク３０経由で接続されているものとする。
【００１１】
空気調和機１０は、本体１１と、リモコン等の操作手段１２とを含む。空気調和機１０は、操作手段１２による操作により本体１１の運転設定が設定変更されたときの設定変更の内容を示す設定変更情報と、操作手段１２による操作がされた時点の本体の運転状態を示す運転情報とに基づき、外部サーバ４０に記憶された商品又は役務の広告情報の中から選択された広告を、操作手段１２、本体１１、若しくは外部機器２０に出力する。
【００１２】
このとき、本体１１又は操作手段１２が接続される外部ネットワーク３０を介して運転情報及び設定変更情報を外部サーバ４０へ送信し、外部サーバ４０において広告の内容が決定される。又、本体１１が広告の内容を決定してもよい。
【００１３】
以下、外部サーバ４０で広告を選択し、選択された広告を操作手段１２又は外部機器２０に出力する態様を実施例１とし、本体１１で広告を選択し、選択された広告を操作手段１２に出力する態様を実施例２とした場合の、それぞれの広告提供システム１Ａ，１Ｂに含まれる装置の内部構成、およびその動作について詳細に説明する。
【００１４】
（実施例１）
図２に、実施例１の広告提供システム１Ａを構成する各機器の構成が示されている。図２によれば、実施例１に係る広告提供システム１Ａは、空気調和機１０（本体１１及び操作手段１２）と、外部ネットワーク３０経由で接続される外部サーバ４０、及び外部機器２０とを含む。
【００１５】
外部サーバ４０は、図２に示すように、ＣＰＵ４０１と、広告情報記憶部４０２と、ネットワーク通信部４０４と、広告選択処理部４０５とを備えている。
ＣＰＵ４０１は、空気調和機１０や外部機器２０から送信される後述する運転情報と設定変更情報等をネットワーク通信部４０４及び外部ネットワーク３０を介して取り込む。ＣＰＵ２１０は、取り込んだ運転情報と設定変更情報等に基づいて、後述する制御を実行する。
広告情報記憶部４０２は、ＲＯＭやＲＡＭで構成されており、空気調和機１０や外部機器２０から送信される運転情報と設定変更情報等に対応した広告を記憶している。ネットワーク通信部４０４は、空気調和機１０や外部機器２０との通信を行うためのインターフェイスである。
広告選択処理部４０５は、本体１１で生成される後述する運転情報と設定変更情報等に基づき、広告情報記憶部４０２に記憶された広告情報の中から広告を選択する機能を有する。
【００１６】
本体１１には、本体１１の制御中枢となる制御部１１０が備えられている。制御部１１０は、図２に示すように、ＣＰＵ１１１と、記憶部１１２と、通信部１１３と、ネットワーク通信部１１４と、運転情報生成部１１５と、設定変更情報生成部１１６と、個人識別情報生成部１１７と、操作識別情報生成部１１８と、設定完了情報生成部１１９を備えている。
【００１７】
ＣＰＵ１１１は、操作手段１２から送信される後述する操作情報を通信部１１３を介して取り込む。また、外部サーバ４０から送信される広告情報をネットワーク通信部４０４及び外部ネットワーク３０を介して取り込む。また、外部機器２０から送信される操作情報をネットワーク通信部４０４及び外部ネットワーク３０を介して取り込む。ＣＰＵ１１１は、取り込んだ操作情報に基づいて本体１１に備えられた圧縮機や送風機、風向板等の図示しない各種のアクチュエータを制御する。また、ＣＰＵ１１１は、取り込んだ広告情報を操作手段１２の広告出力部１２９Ａ等へ送信する。
【００１８】
記憶部１１２は、ＲＯＭやＲＡＭで構成されており、制御プログラムや本体１１に備えられた図示しない各種のアクチュエータの制御状態等を記憶している。通信部１１３は、操作手段１２との通信を行うためのインターフェイスである。ネットワーク通信部１１４は、外部サーバ４０や外部機器２０と外部ネットワーク３０を介しての通信を行うためのインターフェイスである。
【００１９】
運転情報生成部１１５は、操作手段１２に操作された時点の本体１１の状態（運転モード）を示す運転情報を生成する。設定変更情報生成部１１６は、本体１１が操作手段１２から受信した設定変更の内容を示す設定変更情報を生成する。個人識別情報生成部１１７は、ユーザが予め操作手段１２を用いて入力したユーザの年齢、性別等の情報から個人識別情報を生成し、操作識別情報生成部１１８は、例えば、後述する外部機器２０に搭載されたブラウザの閲覧履歴等の操作識別情報を生成する機能を有する。設定完了情報生成部１１９は、操作手段１２が操作されたときの操作情報（設定変更の内容）に基づく制御が完了したことを示す設定変更完了情報を生成する機能を有する。
【００２０】
操作手段１２には、操作手段１２の制御中枢となる制御部１２０が備えられている。制御部１２０は、図２に示すように、ＣＰＵ１２１と、記憶部１２２と、通信部１２３と、入力部１２９Ａと、出力部１２９Ｂと、広告出力部１２９Ｃとを備えている。
【００２１】
ＣＰＵ１２１は、後述する入力部１２９Ａから送信された操作情報や本体１１から通信部１２３を介して送信される広告情報等を取り込む。ＣＰＵ１２１は、入力部１２９Ａから取り込んだ操作情報を本体１１へ送信する。また、ＣＰＵ１２１は、本体１１から取り込んだ広告情報等を出力部１２９Ｂや広告出力部１２９Ｃへ送信する。
【００２２】
記憶部１２２は、ＲＯＭやＲＡＭで構成されており、制御プログラムや本体１１に備えられた図示しない各種のアクチュエータの制御状態等を記憶している。通信部１１３は、本体１１との通信を行うためのインターフェイスである。入力部１２９Ａは、ユーザによって行われた操作手段１２の図示しない各種ボタンやタッチパネルの操作に基づいて操作情報を生成し、ＣＰＵ１２１に送信する。出力部１２９Ｂは、本体１１や記憶部１２２から取り込んだ広告情報や設定変更完了情報等を操作手段１２に設けられた図示しないディスプレイに表示する。広告出力部１２９Ｃは、外部サーバ４０の広告選択処理部４０５で選択された広告情報を操作手段１２に設けられた図示しないディスプレイに表示する。
【００２３】
外部機器２０には、制御中枢となる制御部２００が備えられている。制御部２００は、図２に示すように、ＣＰＵ２０１と、記憶部２０２と、ネットワーク通信部２０４と、入力部２０９Ａと、出力部２０９Ｂと、広告出力部２０９Ｃとを備えている。
【００２４】
ＣＰＵ２０１は、後述する入力部２０９Ａから送信された操作情報や本体１１からネットワーク通信部２０４及び外部ネットワーク３０を介して送信される広告情報等を取り込む。ＣＰＵ２０１は、入力部２０９Ａから取り込んだ操作情報を本体１１へ送信する。また、ＣＰＵ２０１は、本体１１から取り込んだ広告情報等を出力部２０９Ｂや広告出力部２０９Ｃへ送信する。
【００２５】
記憶部２０２は、ＲＯＭやＲＡＭで構成されており、制御プログラムや本体１１に備えられた図示しない各種のアクチュエータの制御状態等を記憶している。ネットワーク通信部２０４は、本体１１や外部サーバ４０との通信を行うためのインターフェイスである。入力部２０９Ａは、ユーザによって行われた外部機器２０の図示しない各種ボタンやタッチパネルの操作に基づいて操作情報を生成し、ＣＰＵ２０１に送信する。出力部２０９Ｂは、本体１１や記憶部２０２から取り込んだ広告情報や設定変更完了情報等を外部機器２０に設けられた図示しないディスプレイに表示する。広告出力部２０９Ｃは、外部サーバ４０の広告選択処理部４０５で選択された広告を外部機器２０に設けられた図示しないディスプレイに出力する。広告出力部２１は、本体１１に含まれてもよい。
【００２６】
図３に、実施例１の広告提供システム１Ａの動作シーケンス図を示す。図３によれば、まず、ユーザが温度調整等の設定変更の指示を行うため操作手段１２を操作すると、操作手段１２の入力部１２９Ａはユーザによって操作された内容を示す操作情報を生成し、ＣＰＵ１２１はその操作情報を受信する（ステップＳ１０１）。次に、ＣＰＵ１２１は、入力部１２９Ａから受信した操作情報を通信部１２３を介して本体１１へ送信する（ステップＳ１０２）。
【００２７】
次に、本体１１のＣＰＵ１１１は、操作手段１２から通信部１１３を介して操作情報を受信し（ステップＳ１０３）、続いて、操作情報に基づいて本体１１に備えられた圧縮機や送風機、風向板等の各種のアクチュエータを制御して設定変更を実行する（ステップＳ１０４）。次に、ＣＰＵ１１１は、運転情報生成部１１５から操作情報を受信した時点の運転モード（暖房運転、冷房運転等）を示す運転情報を取り込み、設定変更情報生成部１１６から操作情報に基づいて設定変更の内容を示す設定変更情報を取り込む。ＣＰＵ１１１は、取り込んだ運転情報及び設定変更情報をネットワーク通信部１１４及び外部ネットワーク３０を介して外部サーバ４０へ送信する（ステップＳ１０５）。
【００２８】
次に、外部サーバ４０のＣＰＵ４０１は、本体１１から外部ネットワーク３０及びネットワーク通信部４０４を介して運転情報及び設定変更情報を受信し（ステップＳ１０６）、続いて、広告選択処理部４０５から広告情報を呼び出す（ステップＳ１０７）。広告選択処理部４０５は、運転情報及び設定変更情報に基づいて広告情報記憶部４０２から予め定めた条件にあてはまる広告情報を選択する。予め定めた条件とは、例えば、広告情報記憶部４０２に、表１に記載の運転情報及び設定変更情報と広告情報との対応関係を示すテーブルが記憶されている。ＣＰＵ４０１は、広告選択処理部４０５によって選択された広告情報をネットワーク通信部４０４及び外部ネットワーク３０を介して本体１１へ送信する（ステップＳ１０８）。
【００２９】
【表１】
2018073153.tif 000003
【００３０】
表１のテーブルは、左から右に向かって、運転情報、設定変更情報、運転情報と設定変更情報から推定されるユーザの体感や動作、選択される広告情報の例を示す。広告を選択するにあたり、広告選択処理部４０５は、例えば、運転情報が「冷房」、設定変更情報が「運転開始」であれば、ユーザの体感を「暑い」と判断し、「アイスクリーム」を広告として選択する。また、設定変更情報が「運転停止」であれば、ユーザの体感を「寒い」と判断し、「ホットコーヒー」を広告として選択する。また、ユーザが、設定温度を上げる操作を行った場合、外部サーバ４０は、ユーザの体感を「寒い」と判断し、「ホットコーヒー」を広告として選択し、設定温度を下げる操作を行った場合、ユーザの体感を「暑い」と判断し、「アイスクリーム」を広告として選択する。表１に記載の広告例は、いずれも商品に関する広告例だが、「プール」や「温泉旅行」等の役務つまりサービスに関する広告であっても良い。
【００３１】
また、運転情報が「暖房」で、設定変更情報が「風向を閾値より下げる」設定であれば、外部サーバ４０は、ユーザの体感を「寒い」と判断し、ブランケット等の「防寒具」を広告として選択する。また、設定変更情報が「風向を閾値より上げる」設定であれば、ユーザの体感を「暑い又は乾燥している」と判断し、「保湿クリーム」を広告として選択する。
また、運転情報が、「冷暖房共通」で、設定変更情報が、運転停止を行う時間を指定する「ｏｆｆタイマ」であれば、外部サーバ４０は、ユーザの体感（動作）を「就寝」と判断し、「安眠グッズ」を、運転開始を行う時間を指定する「ｏｎタイマ」であれば、ユーザの体感（動作）を「起床又は帰宅」と判断して、「目覚まし時計」を広告として選択する。
【００３２】
なお、外部サーバ４０は、本体１１の個人識別情報生成部１１７により生成される個人識別情報と、操作識別情報生成部１１８により生成される操作手段識別情報を取得し、これら情報に応じて広告を選択してもよい。例えば、冷房運転で、設定温度を１℃下げたときに、個人識別情報が、３０代の男性であればビールの広告を選択し、１０代の男性であれば、コーラの広告を出力することにより、より適切な広告を出力することができる。また、操作識別情報が、外部機器２０に備えられたブラウザ機能の閲覧履歴だった場合、最近ユーザが閲覧した季節商品を優先して表示するようにすることで、より適切な広告を出力することができる。
【００３３】
また、外部サーバ４０の広告選択処理部４０５は、操作手段１２が操作される前と後の設定値の変位量に応じて広告を選択してもよい。これにより、例えば、暖房運転時、１℃温度を上げた場合、外部サーバ４０は、ユーザの体感が少し寒いと判断して「防寒具」の広告を選択し、２℃設定温度を上げた場合は、ユーザの体感がとても寒いと判断して「おでん」の広告を選択する等、その時々におけるユーザの体感により適した広告を選択することができる。
【００３４】
次に、本体１１のネットワーク通信部１１４は、外部サーバ４０から送信される広告情報を受信する（ステップＳ１０９）。そして、本体１１のＣＰＵ１１１は、受信した広告情報を通信部１１３を介して操作手段１２へ送信する。また、ＣＰＵ１１１は、設定完了情報生成部１１９からステップＳ１０４において操作手段１２が操作されたときの操作情報（設定変更の内容）に基づく制御が完了したことを示す設定変更完了情報を取り込み、広告情報と合わせて通信部１１３を介して操作手段１２へ送信する（ステップＳ１１０）。
【００３５】
次に、操作手段１２のＣＰＵ１２１は、広告情報と設定変更完了情報を通信部１２３を介して本体１１から受信し（ステップＳ１１１）、出力部１２９Ｂは、設定変更完了情報を操作手段１２の図示しないディスプレイへ出力し、広告出力部１２９Ｃは、出力部１２９Ｂによる設定変更完了情報の出力と同時、又は、それより後に、その広告情報を操作手段１２の図示しないディスプレイへ出力する（ステップＳ１１２）。ユーザは、ディスプレイに表示された内容を視認することで、広告内容、及び自身が操作した設定変更の完了を認識することができる。
【００３６】
このように、操作手段１２によって行われた設定変更完了の表示と同じタイミングで広告を通知することにより、ユーザの設定操作の邪魔にならない適切なタイミングでユーザに広告を閲覧させることができる。例えば、エアコンの設定変更時、ユーザは、温度や湿度等に不満を持ち、少なからずストレスを感じていると推定できる。そのような心理状態で、操作時に無条件で操作手段１２に広告を表示すると、例え、操作の邪魔にならなくてもユーザが煩わしさを覚えることが想定され、本来の広告の役割に対して逆効果になり、操作の邪魔になれば更にストレスをかかえることになる。
【００３７】
そこで、設定変更完了時に広告を出力させることにより、ユーザが設定変更を完了したことによる安堵感を持っている状態で、かつ、操作完了後の受動的な状態で広告を出力することにより、より適切なタイミングでユーザに広告を閲覧させることができる。
【００３８】
なお、図３に示す動作シーケンス図では、操作手段１２で設定変更の操作を行い、操作手段１２に広告情報及び設定変更完了情報を出力するものとして説明したが、操作手段１２に限らず、外部機器２０で設定変更の操作を行い、外部機器２０に広告情報及び設定変更完了情報を出力しても良い。以下、図３の広告提供システム１Ａの動作シーケンス図において、操作手段１２を外部機器２０に置き換えた場合について説明する。
【００３９】
ユーザが温度調整等の設定変更の指示を行うため外部機器２０を操作すると、入力部２０９Ａは、操作された内容を示す操作情報を生成し、ＣＰＵ２０１はその操作情報を受信する（ステップＳ１０１）。次に、外部機器２０のＣＰＵ２０１は、入力部２０９Ａから受信した操作情報をネットワーク通信部２０４及び外部ネットワーク３０を介して本体１１へ送信する（ステップＳ１０２）。
【００４０】
次に、本体１１のＣＰＵ１１１は、外部機器２０から外部ネットワーク３０及び通信部１１３を介して操作情報を受信し（ステップＳ１０３）、続いて、操作情報に基づいて本体１１に備えられた各種のアクチュエータを制御して設定変更を実行する（ステップＳ１０４）。次に、ＣＰＵ１１１は、運転情報生成部１１５から操作情報を受信した時点の運転モード（暖房運転、冷房運転等）を示す運転情報を取り込み、設定変更情報生成部１１６から操作情報に基づいて設定変更の内容を示す設定変更情報を取り込む。ＣＰＵ１１１は、取り込んだ運転情報及び設定変更情報をネットワーク通信部１１４及び外部ネットワーク３０を介して外部サーバ４０へ送信する（ステップＳ１０５）。
【００４１】
次に、外部サーバ４０のＣＰＵ４０１は、本体１１から外部ネットワーク３０及びネットワーク通信部４０４を介して運転情報及び設定変更情報を受信し（ステップＳ１０６）、続いて、広告選択処理部４０５から広告情報を呼び出す（ステップＳ１０７）。ＣＰＵ４０１は、広告選択処理部４０５によって選択された広告情報をネットワーク通信部４０４及び外部ネットワーク３０を介して本体１１へ送信する（ステップＳ１０８）。
【００４２】
本体１１のネットワーク通信部１１４は、外部サーバ４０から送信された広告情報を受信する（ステップＳ１０９）。そして、本体１１のＣＰＵ１１１は、受信した広告情報をネットワーク通信部１１４及び外部ネットワーク３０を介して外部機器２０へ送信する。また、広告情報と合わせて、ステップＳ１０４において実行した設定変更が完了した旨を示す設定変更完了情報を送信する（ステップＳ１１０）。
【００４３】
次に、外部機器２０のＣＰＵ２０１は、広告情報と設定変更完了情報を外部ネットワーク３０及びネットワーク通信部２０２を介して受信し（ステップＳ１１１）、出力部２０９Ｂは、その設定変更完了情報を外部機器２０の図示しないディスプレイへ出力し、広告出力部２０９Ｃは、出力部２０９Ｂによる設定変更完了情報の出力と同時、又は、それより後に、その広告情報を外部機器２０の図示しないディスプレイへ出力する（ステップＳ１１２）。ユーザは、ディスプレイに表示された内容を視認することで、広告内容、及び自身が操作した設定変更の完了を認識することができる。
【００４４】
また、本体１１に広告出力部があれば、本体１１に広告情報を出力してもよい。また、広告の出力方法は表示に限らず音声であっても良い。
【００４５】
（実施例２）
図４に、実施例２に係る広告提供システム１Ｂを構成する各機器の構成が示されている。実施例２において、図２に示す実施例１との構成上の差異は、（１）外部サーバ４０の制御部４００に含まれていた広告選択処理部４０５を空気調和機本体１１の制御部１１０が備えている点にある。
【００４６】
このため、本体１１は、実施例１が含む構成に、運転情報生成部１１１で生成された運転情報と、設定変更情報生成部１１２で生成された設定変更情報とに基づき、広告情報記憶部４１（外部サーバ４０）に記憶された広告情報の中から広告を選択する広告選択処理部４０５が付加され、又、操作手段１２は、広告選択処理部４０５で選択された広告を出力する広告出力部１２１を含む。
【００４７】
実施例１では、操作手段１２又は外部機器２０によって空気調和機１０の設定変更がなされる度に本体１１と外部サーバ４０が外部ネットワーク３０を介して通信を行っていた。一方、実施例２によれば、本体１１のＣＰＵ１１１は、外部ネットワーク３０及びネットワーク通信部１１４を介して外部サーバ４０の広告情報記憶部４０２に記憶された広告情報を定期的に受信して記憶部１１２に記憶しているので、広告選択のための本体１１と外部サーバ４０との間の通信の機会が減り、通信コストが削減されると共に、外部サーバ４０に代わって空気調和機本体１１が広告選択処理を実行するため（Ｓ１０７：広告選定）、外部サーバ４０は、広告選択のための処理負荷が軽減される。
【００４８】
（応用例）
図５に、本実施形態に係る広告提供システムを、家庭で使用されるエネルギーの「見える化」と一元管理を実現する、ＨＥＭＳ（Ｈｏｍｅ  Ｅｎｅｒｇｙ  Ｍａｎａｇｅｍｅｎｔ  Ｓｙｓｔｅｍ）に適用した場合の応用例を示している。
【００４９】
図５に示すように、建屋内では、電気量を計測するエネルギー計測ユニット５３を分電盤５４等に接続してある。分電盤５４は、配線用遮断器や漏電遮断器などの各種ブレーカー、電力量計（電力メーター）、リモコンリレーやタイマ等の制御装置を収容した、金属製又はプラスチック製の収容箱であり、本実施形態に係る空気調和機１０も電力消費機器として接続されている。さらに、ホームゲートウェイ（ＨＧＷ５２）、ルータ５１経由で、インターネット（外部ネットワーク３０）に接続される。
【００５０】
インターネットには、外部サーバ４０が接続されている。外部サーバ４０は、空気調和機１０等の運転情報と、本実施形態に係る操作手段１２により設定される設定変更情報とを取得し、ユーザの体感に対応する商品又は役務についての広告を決定し、ルータ５１、ＨＧＷ５２経由でＰＣ等の外部機器２０へ送信する。このことにより、ユーザは、ＰＣ等の外部機器２０により、電力使用データ及び広告を閲覧することができる。
【００５１】
（実施形態の効果）
以上説明のように本実施形態に係る広告提供システム１（１Ａ，１Ｂ）によれば、外部サーバ４０、又は空気調和機本体１１が、空気調和機１０の運転情報及び設定変更情報に基づき、外部サーバ４０に記憶された商品又は役務についての広告を選択し、本体１１、操作手段１２、若しくは外部機器２０に選択された広告を出力する仕組みを構築することにより、ユーザの体感に応じた適切な広告を出力することができる。
【００５２】
また、操作手段１２がユーザの個人識別情報及び操作手段識別情報を有することで、その個人識別情報及び操作手段識別情報に応じたより適切な広告を選択でき、出力する広告の内容の柔軟性が向上する。また、広告を設定変更の変位量に応じて選択することにより、その時々におけるユーザの体感により適した広告を選択することができる。
【００５３】
また、操作手段１２又は外部機器２０が、操作手段１２によって行われた設定変更の完了の表示と同じタイミングで広告を表示することにより、ユーザの設定操作の邪魔にならない適切なタイミングで広告を閲覧させることができる。
【００５４】
なお、操作手段１２はリモコンを想定しているが、本体１１に設置されている操作パネルとディスプレイであってもよく、また、本体１１に設置されている操作パネルとディスプレイを遠隔操作するスマートフォン等であってもよい。
【００５５】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。
【符号の説明】
【００５６】
１（１Ａ，１Ｂ）  広告提供システム
１０    空気調和機
１１    空気調和機本体
１２    操作手段
２０    外部機器
３０    外部ネットワーク
４０    外部サーバ
２１    広告出力部
４１    広告情報記憶部
４２，１１０    広告選択処理部
１００  ＨＥＭＳ
１１１    運転情報生成部
１１２    設定変更情報生成部
１１３    個人識別情報生成部
１１４    操作識別情報生成部
【図１】
2018073153.tif 000004
【図２】
2018073153.tif 000005
【図３】
2018073153.tif 000006
【図４】
2018073153.tif 000007
【図５】
2018073153.tif 000008